(57)【特許請求の範囲】
【請求項１】
ストライカが進入可能な溝が形成され、前記ストライカが前記溝に進入可能なアンロック位置から前記ストライカの前記溝からの離脱を禁止するロック位置まで回転可能で、アンロック位置方向に付勢されたフックと、
前記フックに当接する方向に付勢され、前記ロック位置に位置する前記フックに係合することにより前記フックの回転を禁止する係合位置に移動可能なポールと、
を有し、
前記ポールには、
前記ロック位置にある前記フックに係合する際に、前記ポールの移動時に前記フックと摺接する摺接面と、
前記係合位置において、前記フックと当接して、前記フックのアンロック位置方向への回転を禁止し、前記摺接面と別の部位にある第１ロック面と，前記摺接面と前記第１ロック面との間に設けられた第２ロック面と、
を有することを特徴とするロック装置。
【請求項２】
前記ロック面が前記フックと当接すると、
前記摺接面と前記フックとの当接が解除されるように形成されていることを特徴とする請求項１記載のロック装置。
【発明の詳細な説明】
【技術分野】
【０００１】
本発明は、車両に用いられるロック装置に関し、さらに詳しくは、耐久性が向上するロック装置を提供することにある。
【背景技術】
【０００２】
ロック装置の一例として、図４、図５に示すものがある。図４はアンロック状態のロック装置を示し、図５はロック状態のロック装置を示している。
これらの図において、ベース１には、フロアに設けられたストライカ２（図５参照）が進入可能な溝１ａが形成されている。
【０００３】
溝１ａを挟んで、一方の側のベース１上には、ストライカ２が進入可能な溝３ａが形成され、ストライカ２が溝３ａに進入可能なアンロック位置から溝３ａからの離脱を禁止するロック位置まで回転可能で、アンロック位置方向（図において、矢印ＵＬ方向）に付勢されたフック３が設けられている。
【０００４】
溝１ａを挟んで、他方の側のベース１上には、フック３に当接する方向（図において矢印Ｈ方向）に付勢されたポール５が回転可能に設けられている。
ポール５のフックと対向する面には、フック３の凹部３ｂに係脱可能な凸部５ａが形成されている。
【０００５】
そして、ポール５の凸部５ａがロック位置に位置するフック３の凹部３ｂに係合することによりフック３の回転が禁止される。
次に、図４、図５を用いてロック装置の作動を説明する。
図４のアンロック位置にあるフック３の溝３ａの壁面をストライカ２が押すことにより、フック３は矢印ＵＬ方向の付勢力に抗して、ロック位置方向へ回転する。
【０００６】
尚、ポール５はフック３に当接する方向に付勢されており、フック３が回転すると、ポール５の凸部５ａの先端面がフック３の周面上を摺接する。
そして、フック３がロック位置にまで回転すると、ポール５の凸部５ａはフック３の凹部３ｂに係合し、フック３のアンロック方向の回転が禁止される（例えば、特許文献１参照）。
【先行技術文献】
【特許文献】
【０００７】
【特許文献１】特開２０１０−１９５３６９号公報
【発明の概要】
【発明が解決しようとする課題】
【０００８】
特許文献１に記載されたロック装置では、フック３がロック位置まで回転すると、図５に示すように、ポール５の凸部５ａは、ポール５の凸部５ａの先端部がフック3の凹部３ｂの底部に当接する係合位置まで、ポール５の凸部５ａの上面が矢印ＵＬ方向に付勢されたフック３の凹部３ｂの上側の壁面に摺接しながら、矢印Ｈ方向に回転移動する。
【０００９】
ポール５の凸部５ａの上面は、ポール５の移動時にフック３と摺接する摺接面の機能と、フック３の凹部３ｂの上側の壁面と当接して、フック３のアンロック位置方向への回転を禁止するロック面の機能との２つの機能を有している。即ち、ポール５の摺接面とロック面とが同一面である。
【００１０】
よって、ロック装置が繰り返し作動するうちに、ポール５の凸部５ａの上面、即ち、摺接面とロック面とが摩耗し、スムーズなロック作動が得られない問題点がある。
本発明は、上記問題点に鑑みてなされたもので、その課題は、スムーズなロック作動が得られるロック装置を提供することにある。
【課題を解決するための手段】
【００１１】
上述した課題のうち少なくとも一つを実現するために、本発明の一側面を反映したロック装置は、ストライカが進入可能な溝が形成され、前記ストライカが前記溝に進入可能なアンロック位置から前記ストライカの前記溝からの離脱を禁止するロック位置まで回転可能で、アンロック位置方向に付勢されたフックと、前記フックに当接する方向に付勢され、前記ロック位置に位置する前記フックに係合することにより前記フックの回転を禁止する係合位置に移動可能なポールと、を有し、前記ポールには、前記ロック位置にある前記フックに係合する際に、前記ポールの移動時に前記フックと摺接する摺接面と、前記係合位置において、前記フックと当接して、前記フックのアンロック位置方向への回転を禁止し、前記摺接面と別の部位にある第１ロック面と，前記摺接面と前記第１ロック面との間に設けられた第２ロック面と、を有することを特徴とする。
【００１２】
本発明の他の特徴は、以下に述べる発明を実施するための形態並びに添付の図面から一層明らかになるであろう。
【発明の効果】
【００１３】
本発明のロック装置によれば、前記ポールには、前記ロック位置にある前記フックに係合する際に、前記ポールの移動時に前記フックと摺接する摺接面と、前記係合位置において、前記フックと当接して、前記フックのアンロック位置方向への回転を禁止し、前記摺接面と別の部位にある第１ロック面と，前記摺接面と前記第１ロック面との間に設けられた第２ロック面と、を有することにより、従来より、摺接面、ロック面の摩耗が少なくなり、スムーズなロック作動が得られる。
【００１４】
本発明の他の効果は、以下に述べる発明を実施するための形態並びに添付の図面から一層明らかになるであろう。
【図面の簡単な説明】
【００１５】
【図１】実施形態のロック装置の分解斜視図である。
【図２】図１のロック装置のフックとポールのアンロックからロックまでの作動を説明する図である。
【図３】図１のロック装置のフックとポールのアンロックからロックまでの作動を説明する図である。
【図４】従来のロック装置のアンロック状態を示す図である。
【図５】図４のロック装置のロック状態を示す図である。
【発明を実施するための形態】
【００１６】
図面を用いて本実施形態を説明する。図１は本実施形態のロック装置の分解斜視図、図２、図３は図１のロック装置のフックとポールのアンロックからロックまでの作動を説明する図である。
＜全体構成＞
図１に示すように、ロック装置５１のベース５３には、本図では図示しないストライカ１０（図２参照）が進入可能な溝５３ａが形成されている。溝５３ａを挟んで一方の側にはフック５５が、他方の側にはポール６１がそれぞれ配置される。即ち、ストライカ１０の進入軌跡を中心に、一方の側にはフック５５が、他方の側にはポール６１がそれぞれ配置される。
【００１７】
フック５５には、ストライカ１０（図２参照）が進入可能な溝５５ａと、貫通した穴５５ｂとが形成されている。ベース５３には、フック５５の穴５５ｂに対向し、フック５５の穴５５ｂの径より若干小さな径の穴５３ｂが形成されている。
また。フック５５とベース５３との間には、カムプレート５６が配置される。このカムプレート５６には、フック５５の穴５５ｂに対向し、穴５５ｂの径と同じ幅を有する溝５６ａが形成されている。カムプレート５６のベース５３との対向面には、ベース５３方向に突出するカム突起５６ｂと、スプリング突起５６ｃとが形成されている。
【００１８】
さらに、カムプレート５６には、長穴５６ｄが形成されている。一方、フック５５のカムプレート５６との対向面には、カムプレート５６方向に突出し、長穴５６ｄに係合する突起５５ｃが形成されている。
そして、フック５５の穴５５ｂ、カムプレート５６の溝５６ａを挿通し、ベース５３の穴５３ｂに一方の端部がかしめ止めされる軸５９により、フック５５とカムプレート５６とはベース５３に回転可能に取り付けられている。尚、軸５９の他方の端部には、フック５５のベース５３からの離脱を禁止するつば部５９ａが形成されている。
【００１９】
さらに、カムプレート５６の長穴５６ｄは、カムプレート５６の回転軸を通らず、カムプレート５６の回転方向と交差する方向に延出している。よって、この長穴５６ｄにフック５５の突起５５ｃが係合することにより、フック５５とカムプレート５６とは一体となって回転する。
【００２０】
尚、図２（ａ）でのフック５５の位置が、ストライカ１０がフック５５の溝５５ａに進入可能なアンロック位置であり、図３（ｄ）から図３（ｇ）でのフック５５の位置が、ストライカ１０のフック５５の溝５５ａからの離脱を禁止するロック位置である。
フック５５の側面のうち半径方向の外周面には、フック５５のアンロック位置への回転方向に沿って、フック第１凸部５５ｄ、フック第２凸部５５ｅが形成されている。フック第１凸部５５ｄとフック第２凸部５５ｅとの間には、フック凹部５５ｆが形成されている。ここで、フック凹部５５ｆは、奥に行くほど凹部の内幅が狭くなるように形成されている。
【００２１】
次に、ポール６１にも、貫通した穴６１ｃが形成されている。ベース５３には、ポール６１の穴６１ｃに対向し、ポール６１の穴６１ｃの径より若干小さな径の穴５３ｃが形成されている。
ポール６１とベース５３との間には、アンロックレバー６２が配置される。このアンロックレバー６２には、ポール６１の穴６１ｃに対向し、穴６１ｃと同じ径の穴６２ａが形成されている。
【００２２】
そして、ポール６１の穴６１ｃ、アンロックレバー６２の穴６２ａを挿通し、ベース５３の穴５３ｃに一方の端部がかしめ止めされる軸６５により、ポール６１、アンロックレバー６２はベース５３に回転可能に取り付けられている。尚、軸６５の他方の端部には、ポール６１のベース５３からの離脱を禁止するつば部６５ａが形成されている。
【００２３】
また、ポール６１の回転中心以外の部分には、貫通した穴６１ａが形成されている。アンロックレバー６２には、ポール６１の穴６１ａに対向し、ポール６１の穴６１ｃの径より若干小さな径の穴６２ｂが形成されている。
そして、ポール６１の穴６１ａを挿通し、アンロックレバー６２の穴６２ｂにかしめ止めされるピン６４により、ポール６１とアンロックレバー６２と一体となって回転する。
【００２４】
ポール６１のフック５５と対向する外周面には、回転端部側からフック５５のフック凹部５５ｆに係脱可能なポール第１凸部６１ｂと、フック５５のフック第２凸部５５ｅが進入可能なポール凹部６１ｅと、ポール第２凸部６１ｄとが形成されている。
ベース５３とカムプレート５６との間には、軸５９を巻回するようにスプリング（スパイラルスプリング )６９が配置される。このスプリング６９の外端部はカムプレート５６に形成されたスプリング突起５６ｃに係止され、内端部はベース５３に形成された突起５３ｄに係止されている。そして、このスプリング６９により、フック５５、フック５５と一体となって回転するカムプレート５６とは、アンロック位置方向（図２、図３において矢印ＵＬ方向）に付勢されている。
【００２５】
また、一端部がベース５３に形成されたスプリング係止溝５３ｅに係止され、他端部がアンロックレバー６２に形成されたスプリング係止部６２ｃに係止されたコイルスプリング７１により、ポール６１とポールと一体となって回転するアンロックレバー６２とは、フック５５に係合する方向（図２，図３において、矢印Ｈ方向）に付勢されている。
【００２６】
次に、図２，図３を用いて上記構成のロック装置の作動を説明する。
＜図２（ａ）＞
フック５５が、ストライカ１０が溝５５ａに進入可能なアンロック位置にある状態を示している。この状態において、ポール６１のポール第１凸部６１ｂの先端面である第１当接面６１ｆが、フック５５のフック第１凸部５５ｄの外周面に当接している。尚、本実施形態では、ポール第１凸部６１ｂの第１当接面６１ｆは曲面とした。
＜図２（ｂ）＞
図２（ａ）の状態から、ロック装置５１とストライカ１０との間の間隔を縮めると、ストライカ１０は、フック５５の溝５５ａの壁面を押し、フック５５は、スプリング６９の付勢力に抗して反矢印ＵＬ方向に回転し始める。
【００２７】
この状態においては、ポール６１のポール第１凸部６１ｂの先端面である第１当接面６１ｆは、フック５５のフック第１凸部５５ｄの外周面に摺接する。
＜図２（ｃ）＞
図２（ｂ）の状態から、さらにロック装置５１とストライカ１０との間の間隔を縮めると、フック５５はさらに反矢印ＵＬ方向に回転する。そして、ポール６１のポール第２凸部６１ｄの外周面である第２当接面６１ｇが、フック５５のフック第２凸部５５ｅの先端角部５５ｇに当接すると共に、ポール６１のポール第１凸部６１ｂの第１当接面６１ｆと、フック５５のフック第１凸部５５ｄの外周面との当接が解除される。即ち、図２（ｂ）と図２（ｃ）との間でポール６１のフック５５との当接面が切り替わる。
【００２８】
尚、本実施形態では、フック５５の先端角部５５ｇは、ポール６１の摺接面６１ｈ方向に突出した凸部となっている。さらに、この凸部の摺接面６１ｈと当接する面は曲面となっている。そして、本実施形態では、ポール６１のポール第２凸部６１ｄの第２当接面６１ｇが、フック５５のフック第２凸部５５ｅの外周面に当接した際に、ポール６１は反矢印Ｈ方向に若干後退する。
＜図３（ｄ）＞
図２（ｃ）の状態から、さらにフック５５がロック位置まで回転すると、ポール６１のポール凹部６１ｅの開口上に、フック５５のフック第２凸部５５ｅが位置すると共に、フック５５のフック凹部５５ｆ上に、ポール６１のポール第１凸部６１ｂが位置し、矢印Ｈ方向に付勢されたポール６１が係合位置に向かって回転し始める。
＜図３（ｅ）＞
最初に、ポール６１のポール凹部６１ｅと、フック５５の第２凸部５５ｅとが係合を始める。この時、フック５５の第２凸部５５ｅの先端角部５５ｇが、ポール６１のポール凹部６１ｅの壁面である摺接面６１ｈ上を摺接し、ポール６１が係合位置に向かって移動する。
＜図３（ｆ）＞
次に、フック５５のフック凹部５５ｆと、ポール６１のポール第１凸部６１ｂとが係合し始める。
【００２９】
この時、ポール６１のポール第１凸部６１ｂの上側の面であるロック面６１ｉがフック５５のフック凹部５５ｆの上側の壁面５５ｈを押し、フック５５は若干反矢印ＵＬ方向に回転し、フック５５の第２凸部５５ｅの先端角部５５ｇと、ポール６１のポール凹部６１ｅの壁面である摺接面６１ｈとの当接が解除され、フック５５の第２凸部５５ｅの先端角部５５ｇと、ポール６１のポール凹部６１ｅの摺接面６１ｈとの間には、若干の隙間が発生する。
＜図３（ｇ）＞
ポール６１がフルロック位置まで回転し、ロック状態が完了する。この時、奥に行くに従って内幅が狭くなるフック凹部５５ｆとポール第１凸部６１ｂとが所謂くさび状態で係合しているので、フック５５は、ロック／アンロック方向へ回転が規制されている。
【００３０】
尚、本実施形態では、フック５５のフック凹部５５ｆと、ポール６１のポール第１凸部６１ｂのロック面６１ｉとの係合が、ロック装置５１のロック状態を担い、ポール６１のポール凹部６１ｅと、フック５５の第２凸部５５ｅとの係合はサブロックとなる。即ち、ロック装置５１に過大な荷重が作用し、フック５５がアンロック方向（矢印ＵＬ方向）に回転した場合、フック５５の第２凸部５５ｅの先端角部５５ｇがポール６１のポール凹部６１ｅの摺接面６１ｈに再び当接し、ロック力が増す。
【００３１】
カムプレート５６は、ロック状態（図３（ｄ）〜（ｇ））において、ストライカ１０をフック５５とカムプレート５６とで挟み込むことで、ストライカ１０のフック５５の溝５５ａ内でのがたつきを防止する。
以上、図２（ａ）から図３（ｇ）は、アンロック状態からロック状態までのロック装置５１の作動である。ロック状態にあるロック装置５１をアンロック状態とするのは、アンロックレバー６２をスプリング７１の付勢力に抗して、反矢印Ｈ方向に回転させると、フック５５のフック凹部５５ｆと、ポール６１のポール第１凸部６１ｂとの係合が解除され、フック５５，ポール６１は図２（ａ）の状態に復帰する。
【００３２】
上記構成によれば、以下のような効果が得られる。
(1) ポール６１には、ロック位置にあるフック５５に係合する際に、フック５５の第２凸部５５ｅの先端角部５５ｇが摺接するポール６１の摺接面６１ｈと、フック５５のフック凹部５５ｆと当接して、フック５５のアンロック位置方向への回転を禁止し、摺接面６１ｈと別の部位にあるロック面６１ｉと、を有することにより、従来より、摺接面６１ｈと、ロック面６１ｉとの摩耗が少なくなり、スムーズなロック作動が得られる。
【００３３】
(2) 図３（ｆ）に示すように、フック５５のフック凹部５５ｆと、ポール６１のポール第１凸部６１ｂのロック面６１ｉとが係合し始めると、フック５５の第２凸部５５ｅの先端角部５５ｇと、ポール６１のポール凹部６１ｅの壁面である摺接面６１ｈとの当接が解除されることにより、フック５５及びポール６１の回転が阻害されることなくスムーズなロックが作動が得られる。
【００３４】
(3) フック５５の先端角部５５ｇの摺接面６１ｈと当接する面は曲面となっていることにより、スムーズなロックが作動が得られる。
【符号の説明】
【００３５】
５５  フック
６１  ポール
６１ｈ  摺接面
６１ｉ  ロック面
【図１】
0006689522.tif 000002
【図２】
0006689522.tif 000003
【図３】
0006689522.tif 000004
【図４】
0006689522.tif 000005
【図５】
0006689522.tif 000006